(57)【要約】【課題】この発明は、主照明として十分な照明能力を備えているとともに間接照明機能をも備えている照明装置を提供することを課題とする。【解決手段】照明装置１０は、光源を収容配置した凹部、および光源を覆うように凹部に取り付けられたルームランプカバー３２を有する。ルームランプカバー３２は、室内を照明するための光を通す透明な底面部４２、反射面２４を照明するための光を通す側面部４４、および底面部４２と側面部４４との間をつなげた帯状の遮光部４６を有する。遮光部４６で底面部４２と側面部４４を区画することで、間接照明と主照明を明確に分けることができる。【選択図】      図５
2008302811.tif 000002
【特許請求の範囲】
【請求項１】
車幅方向略中央で車両の天井の室内側に進行方向に沿って延設された照明装置であって、
車両の進行方向に沿って延びた上方に凹んだ凹部と、
この凹部内に配置された上記進行方向に沿った光源と、
この光源を覆うように上記凹部に取り付けられた上記進行方向に延びたカバーと、を有し、
上記カバーは、
室内側を照明する光を通す半透明な底面部と、
上記凹部を間接的に照明する光を通す半透明な側面部と、
この側面部と上記底面部との間で上記進行方向に延びた帯状の不透明な遮光部と、
を有することを特徴とする照明装置。
【請求項２】
上記凹部は、車幅方向中央に向けて上方に湾曲した反射面を有することを特徴とする請求項１に記載の照明装置。
【請求項３】
上記側面部は、室内側から目視不能となるように、上記底面部の車幅方向両端より車幅方向内側に配置されていることを特徴とする請求項１に記載の照明装置。
【請求項４】
上記底面部は、上記凹部の開口縁を含む面と略同一か又は凹部の中側に位置していることを特徴とする請求項１に記載の照明装置。
【発明の詳細な説明】
【技術分野】
【０００１】
この発明は、例えば、長距離バスや観光バスなどの車両の室内にある照明装置に関する。
【背景技術】
【０００２】
従来、車両の照明装置として、間接照明機能を備えた車両の照明装置が知られている（例えば、特許文献１参照。）。この公報に開示された照明装置は、バスの車幅方向両側にある荷物棚の下に取り付けられており、光透過率の異なる２種類の材料（下面部と側面部）により形成されたカバーを有する。荷物棚の下方に向く下面部は照明光を通し難く、照明光は主に側面部を透過し、この側面部からの光が間接照明として機能する。
【０００３】
しかし、この照明装置は、荷物棚の下側（座席の上方）に取り付けられているため、反対側の座席に座っている乗客から側面部を通る光を直接見ることになり、間接照明としての機能を十分に果たしているとは言えない。また、下面部からは光が殆ど透過しないため、一応は間接照明的な機能を果たすものの、主照明として十分な機能を持ったものではなく、車内を十分に明るくするためには、他に主照明を設ける必要がある。反面、この照明装置に主照明としての機能を持たせるため下面部の光透過率を高くすることも考えられるが、側面部との差が無くなり、間接照明としての機能がさらに損なわれる。
【０００４】
つまり、この公報に開示された照明装置は、主照明として十分な機能を果たすものではなく、また間接照明としても不十分であり、満足のいくものではなかった。
【特許文献１】特開２００７−３０６９７号公報（段落［００２３］、図１）
【発明の開示】
【発明が解決しようとする課題】
【０００５】
この発明の目的は、主照明として十分な照明能力を備えているとともに間接照明機能をも備えている照明装置を提供することにある。
【課題を解決するための手段】
【０００６】
上記目的を達成するため、本発明の照明装置は、車幅方向略中央で車両の天井の室内側に進行方向に沿って延設され、車両の進行方向に沿って延びた上方に凹んだ凹部と、この凹部内に配置された上記進行方向に沿った光源と、この光源を覆うように上記凹部に取り付けられた上記進行方向に延びたカバーと、を有し、上記カバーは、室内側を照明する光を通す半透明な底面部と、上記凹部を間接的に照明する光を通す半透明な側面部と、この側面部と上記底面部との間で上記進行方向に延びた帯状の不透明な遮光部と、を有する。
【０００７】
上記発明によると、天井の凹部に取り付けられたカバーの底面部と側面部との間に光を通さない帯状の遮光部を設けたため、底面部を介して室内を照明する光と側面部を介して凹部を間接的に照明する光を明確に分けることができ、１つの光源で、直接照明（主照明）としての機能と間接照明としての機能を持たせることができ、照明装置の製造コストを安価にできる。なお、このように、光の透過部と遮光部を有するカバーは、例えばポリカーボネートなどの樹脂材料を使った押し出し成形により一体且つ同時に形成できるため、部品点数が多くなったり製造工程が複雑になったりすることもなく、安価且つ容易に製造できる。
【発明の効果】
【０００８】
この発明の照明装置は、上記のような構成および作用を有しているので、主照明として十分な照明能力を発揮できるとともに間接照明としての機能も合わせ持つことになり、１つの光源で２種類の照明光を得ることができ、照明装置にかかるコストを低減できる。
【発明を実施するための最良の形態】
【０００９】
以下、図面を参照しながらこの発明の実施の形態について詳細に説明する。図１には、この発明の実施の形態に係る照明装置を備えた観光バス１の外観斜視図を示してある。
【００１０】
観光バス１（以下、車両１と称する場合もある）は、その進行方向前方の左側の側面にスイングドア２を備え、車両前方右側に運転席３を有する。乗客は、スイングドア２を通って図示しないステップを上がり、運転席３の横を通って、車内略中央を延びた図示しない通路を通って座席に座る。以下に説明する照明装置１０は、通路の上方で車両１の天井に取り付けられている。
【００１１】
図２には、車両１の天井近くの車幅方向断面を車両前方から見た概略図を示してある。特に、この図では、車両１の右辺側の構造を代表して図示してある。この図を見ると、照明装置１０は、車幅方向中央に設けられているのが分かる。また、車幅方向両側、すなわち図示しない座席の上方には、クーラーダクト１２、および荷物棚１４が取り付けられている。さらに、車両１の天井内側には、複数枚のヘッドライニング２０が取り付けられている。
【００１２】
図３には、車両１の天井を車内から見上げた底面図を示してある。この図では、特に、１枚のヘッドライニング２０に斜線を付けて図示してある。ヘッドライニング２０は、照明装置１０の車幅方向両側で車両１の進行方向に沿って複数に分割されて配置されている。
【００１３】
図２に示すように、ヘッドライニング２０は、照明装置１０の車幅方向外側で天井に沿って配置され、荷物棚１４の内面に沿って延びている。ヘッドライニング２０の車幅方向外側端辺２０ａは、荷物棚１４の奥側の壁部１４ａに差し込まれて固定されており、車幅方向内側端辺２０ｂは、照明装置１０の後述するルームランプカバー３２によって押さえられている。また、ヘッドライニング２０の中途部の数箇所には、ヘッドライニング２０を車両１の進行方向にスライド可能に車両１の天井に固定するためのフック２２が取り付けられている。つまり、全てのヘッドライニング２０は、車両１の進行方向に沿って移動可能となっており、進行方向に関する取り付け位置の規制は無い。
【００１４】
図４には、照明装置１０を部分的に拡大した車幅方向断面図を示してある。また、図５には、図４の領域V内の要部の構造を部分的に拡大して示してある。  
照明装置１０は、車両１の進行方向に沿って長い２本の蛍光灯３１（光源）を収容配置した略矩形の進行方向に長いケース３３、ケース３３の開口縁部３３ａにスクリュー３４によってネジ留めされたランプフレーム３５、および、蛍光灯３１を覆うようにランプフレーム３５に取り付けられたルームランプカバー３２を有する。ランプフレーム３５の車幅方向内側の端縁部３５ａは、ケース３３の開口縁部３３ａより車幅方向内側に延在し、この端縁部３５ａにルームランプカバー３２が嵌め合わされている。
【００１５】
また、ランプフレーム３５は、車幅方向外側から上述した端縁部３５ａに向けて上方に湾曲した進行方向に長い帯状の湾曲面３５ｂを有し、この湾曲面３５ｂに沿ったヘッドライニング２０の湾曲した部位が反射面２４として機能する。なお、蛍光灯３１を収容配置したケース３３およびランプフレーム３５の湾曲面３５ｂは、車内天井を規定するヘッドライニング２０より上方に凹んだ凹部を構成している。
【００１６】
照明装置１０を車両１の天井に取り付ける場合、スクリュー３４によってケース３３の開口縁部３３ａにランプフレーム３５を取り付け、この組立体のランプフレーム３５をボルト・ナット３６によって天井に固設した支持片３７に固定する。尚、ボルトは支持片３７に固着されている。この後、ヘッドライニング２０の内側端辺２０ｂ近くをランプフレーム３５の湾曲面３５ｂに両面テープ３８で接着する。そして、２本の蛍光灯３１をケース３３内に取り付けて、ルームランプカバー３２をランプフレーム３５の車幅方向内側の端縁部３５ａに取り付ける。ルームランプカバー３２をランプフレーム３５に取り付けたとき、ルームランプカバー３２の後述する舌片部３９によってヘッドライニング２０の内側端辺２０ｂが押さえられる。
【００１７】
ルームランプカバー３２は、図５に拡大して示すように、ランプフレーム３５の車幅方向内側の端縁部３５ａに係合する係合部４１、およびヘッドライニング２０の車幅方向内側の端辺を押さえる舌片部３９を有する。係合部４１は、ランプフレーム３５の端縁部３５ａに対する十分な強さのクランプ力を発生させるため、断面略Ｕ字状に湾曲されている。また、舌片部３９は、ルームランプカバー３２をランプフレーム３５に取り付けた状態で、ヘッドライニング２０の内側端辺２０ｂをしっかり押さえることのできる形状に形成されている。
【００１８】
また、ルームランプカバー３２は、車両１の室内を照明するため蛍光灯３１から下方に向かう照明光を透過させ且つ車室内から内部が透けて見えない程度の半透明な底面部４２、上述した反射面２４を照明するため蛍光灯３１から車幅方向外側に向かう照明光を透過させ且つ底面部４２と同じ半透明な側面部４４、および、側面部４４と底面部４２との間にある車両１の進行方向に延びた帯状の不透明な遮光部４６を有する。つまり、本実施の形態の照明装置１０によると、蛍光灯３１からの光は、底面部４２を透過して室内を照明するとともに、側面部４４を透過して反射面２４を間接的に照明することになる。
【００１９】
なお、ルームランプカバー３２は、底面部４２が、照明装置１０を取り付けるための凹部の開口縁を含む面（反射面２４より車幅方向外側のヘッドライニング２０の表面）と略同一か又は凹部の中側に位置するような形状に設計されている。
【００２０】
より具体的には、上述した遮光部４６は、上述した舌片部３９および係合部４１とともに、光を通さない不透明なライトグレー色の樹脂材料により形成されており、上述した底面部４２および側面部４４は、透明なライトグリーン色の樹脂材料により形成されている。このように２色の異なる材料により形成されたルームランプカバー３２は、例えば、着色した２種類のポリカーボネートを用いた押し出し成形により同時に形成できる。
【００２１】
底面部４２の車幅方向両端部４２ａは、ヘッドライニング２０の端辺２０ｂを押さえる舌片部３９と同等或いはそれ以上に車幅方向外側まで延びており、舌片部３９によってヘッドライニング２０を押さえている部位を車内から見え難くしているとともに、座席に座っている乗客から側面部４４が直接見えないようにしている。言い換えると、間接照明のための側面部４４は、室内側から目視不能となるように、底面部４２の車幅方向両端４２ａより車幅方向内側に配置されている。
【００２２】
以上のように、本実施の形態によると、主照明としての照明光を透過させる底面部４２と間接照明用の光を透過させる側面部４４との間に帯状の不透明な遮光部４６を配置したため、主照明用の光と間接照明用の光を明確に分割することができ、１つの光源を用いて、主照明としての十分な照明能力を確保した上で、反射面２４を利用した間接照明としての機能も果たすことができる。このため、主照明用の照明装置と間接照明用の照明装置を別々に用意する必要がなく、照明装置のコストを低減できる。
【００２３】
特に、本実施の形態では、底面部４２の車幅方向端部４２ａを外側に張り出した形にしたため、遮光部４６によって側面部４４を通過する光が室内を直接照明することを防止できるとともに、底面部４２の内側で反射した光が間接照明に干渉することも防止でき、２系統の光をより確実に分けることができる。
【００２４】
また、本実施の形態によると、間接照明用の光を室内に反射させる反射面２４をドーム状に湾曲させたため、反射光が分散されてより柔らかい光となり、間接照明としての大きな効果が得られる。特に、本実施の形態では、間接照明用の光を透過させる側面部４４の色をライトグリーンにしたため、目に優しい柔らかい光を用いた間接照明を提供できる。
【００２５】
さらに、本実施の形態によると、ルームランプカバー３２の底面部４２をヘッドライニング２０の表面と略同等又は凹部内に奥まった位置に配置したため、側面部４４を透過した関節照明用の光が車内の乗客によって直接見えることを防止できる。
【００２６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【図面の簡単な説明】
【００２７】
【図１】この発明の実施の形態に係る照明装置を備えた観光バスの外観斜視図。
【図２】図１のバスの天井近くの断面を車両前方から見た概略断面図。
【図３】バスの天井を車内から見た底面図。
【図４】照明装置の車幅方向に沿った断面図。
【図５】図４の領域V内の要部の構成を部分的に拡大して示す部分拡大断面図。
【符号の説明】
【００２８】
１…観光バス、２…スイングドア、３…運転席、１０…照明装置、１２…クーラーダクト、１４…荷物棚、２０…ヘッドライニング、２２…フック、２４…反射面、３１…蛍光灯、３２…ルームランプカバー、３３…ケース、３５…ランプフレーム、３５ａ…端縁部、３５ｂ…湾曲面、３８…両面テープ、３９…舌片部、４１…係合部、４２…底面部、４４…側面部、４６…遮光部。
【図１】
2008302811.tif 000003
【図２】
2008302811.tif 000004
【図３】
2008302811.tif 000005
【図４】
2008302811.tif 000006
【図５】
2008302811.tif 000007